(57)【特許請求の範囲】
【請求項１】
受液側に向けられる透液性のトップシートと、外側に向けられるバックシートと、前記トップシートと前記バックシートとの間に介在する吸収コアとを備えた本体が、装着者の腹側に当てられる前面部と、両側部が大腿部に当てられる中間部と、背側に当てられる後面部とを有し、前記前面部の両側部と、前記後面部の両側部とが互いに接合されて、ウエスト開口部と一対のレッグ開口部が形成され、前記中間部の両側部がレッグ開口部に位置しているパンツ型の使い捨ておむつにおいて、
前記本体の受液側に、縦方向に延び且つ横方向に間隔を開けて配置された防漏カフが設けられ、
前記防漏カフは、縦方向に沿って前記本体に固定される固定端部と、自由端部とを有するシートと、前記自由端部またはその近傍で前記シートに取付けられて縦方向への収縮力を発揮する弾性部材とを有し、
前記防漏カフには、前記シートどうしを接合して固定端部と自由端部との幅寸法を狭める接合部が形成されており、この接合部が前記中間部に設けられて、前記本体からの前記防漏カフの起立可能な長さが、前記接合部を有する部分で低く、前記接合部を挟む縦方向両側で高いことを特徴とする防漏カフを有する使い捨ておむつ。
【請求項２】
前記接合部では、前記防漏カフを構成するシートが二つ折りされてその折り内面どうしが接合されている請求項１記載の防漏カフを有する使い捨ておむつ。
【請求項３】
前記本体のウエスト開口部側を上部、前記レッグ開口部側を下部、前記下部から上部に向う方向を高さ方向としたときに、前記接合部は、本体の高さ方向の最下端を含む領域に形成されている請求項１または２記載の防漏カフを有する使い捨ておむつ。
【請求項４】
前記レッグ開口部が形成されている部分の高さ方向の寸法をＨＬ、前記最下端を始点として前記接合部が形成されている領域の前記高さ方向の寸法をＨｃとしたときに、ＨｃがＨＬ未満である請求項３記載の防漏カフを有する使い捨ておむつ。
【請求項５】
前記ＨｃがＨＬの半分以下である請求項４記載の防漏カフを有する使い捨ておむつ。
【請求項６】
前記接合部が形成されていない部分で、前記本体からの前記防漏カフの起立可能な長さが５０ｍｍ以上である請求項１〜５のいずれかに記載の防漏カフを有する使い捨ておむつ。
【請求項７】
前記接合部が形成されている部分で、前記本体からの前記防漏カフの起立可能な長さが１０ｍｍ以上である請求項１〜６のいずれかに記載の防漏カフを有する使い捨ておむつ。
【請求項８】
前記防漏カフを構成するシートの幅寸法が、前記縦方向の全長において同じである請求項１〜７のいずれかに記載の防漏カフを有する使い捨ておむつ。
【発明の詳細な説明】
【０００１】
【発明の属する技術分野】
本発明は、防漏カフを有する使い捨ておむつに関し、特に前記防漏カフでの防漏能力を高くし、身体に装着したときに、大腿部に防漏カフが適度な長さで当たるようにした使い捨ておむつに関する。
【０００２】
【従来の技術】
近年、オープン型の使い捨ておむつや、予めパンツ型に成形された使い捨ておむつが広く使用されている。図１０はパンツ型に成形された従来の使い捨ておむつを示す斜視図、図１１に図１０の使い捨ておむつに設けられている防漏カフの断面図を示す。
【０００３】
図１０に示すパンツ型の使い捨ておむつ１０１は、図１１の断面図に示すような装着者側に向けられる透液性のトップシート１１０と、外側に向けられる不透液性のバックシート１１１と、前記トップシート１１０と前記バックシート１１１との間に挟まれる吸収コア１１２との積層体で構成されている。この使い捨ておむつは、使用時に装着者の腹部に当てられる前面部と、背側に当てられる後面部と、両側部が大腿部に当てられる中間部とを有する砂時計形状の前記積層体を、前面部の横方向の両側部と、後面部の横方向の両側部とを互いに接合して形成されている。そして、使い捨ておむつ１０１では、前記前面部と後面部のそれぞれの縁部でウエスト開口部１０８が形成され、前記中間部の両側部でレッグ開口部１０９が形成されている。
【０００４】
おむつ１０１の装着者が排泄した場合、吸収コア１１２によって排泄物が吸収されるが、一度に多量の排泄を行なうと、吸収コア１１２によって吸収しきれない排泄物が横方向（レッグ開口部１０９の方向）へと移動する。この排泄物がレッグ開口部１０９からおむつ１０１の外へと漏れることを防止するため、装着者に向かって立ち上がる防漏カフ１４０が設けられている。防漏カフ１４０は疎水性シート１１４によって形成され、一方の側縁（自由端部１４０ａ）に弾性部材１３０が設けられており、その反対側の側縁がトップシート１１０に固定されて固定端部１４０ｂとなっている。
【０００５】
このような防漏カフの一例として、本出願人は特開平４−２１８１５９号において防漏カフを２重に設けた使い捨て着用物品を開示している。また、特公平７−２４６７３号において、防漏カフとトップシートとを間接的に接合し、接合されていない部分がポケットとして機能する使い捨ておむつを開示している。
【０００６】
また、本出願人は特開平８−２１５２３９号において、防漏カフをジグザグ状に折り畳み、内側に向かって開口するポケットが形成された使い捨て体液処理用品を開示している。
【０００７】
【発明が解決しようとする課題】
いずれにせよこの種の防漏カフ１４０は、おむつ本体の受液側からの立ち上がり寸法をある程度長くしておくことが、レッグ開口部１０９側への軟便の漏れ防止を向上させる上で必要である。
【０００８】
しかし、防漏カフの立ち上がり寸法をその全長に渡って高くしていくと、レッグ開口部１０９の下端部１０９ａの内側に位置する防漏カフ１４０が、脚を挿入するときの障害になる。すなわちこの種のパンツ型の使い捨ておむつを装着するときには、足先をウエスト開口部１０８からレッグ開口部１０９に挿入することになるが、このとき指先が前記下端部１０９ａの内側に突出している防漏カフ１４０に当たり、装着の妨げになる。
【０００９】
また使い捨ておむつを装着したときに、防漏カフ１４０が、レッグ開口部１０９の下端部１０９ａと大腿部との間に挟まれて外側へはみ出ることがある。このように防漏カフがおむつの外部にはみ出ると、おむつ内で横漏れを防止する防漏機能を発揮できなくなる。
【００１１】
本発明の目的は上記課題を解決するためのものであり、比較的立ち上がり寸法の大きい防漏カフを設けた場合において、大腿部への装着部において防漏カフがおむつの側方へはみ出ることのない防漏カフを有する使い捨ておむつを提供することにある。
【００１２】
また本発明の他の目的は、足をウエスト開口部からレッグ開口部へ挿入するときに、前記防漏カフが足に引っ掛かる頻度を低下させることが可能な使い捨ておむつを提供することにある。
【００１３】
【課題を解決するための手段】
本発明の前記目的は、受液側に向けられる透液性のトップシートと、外側に向けられるバックシートと、前記トップシートと前記バックシートとの間に介在する吸収コアとを備えた本体が、装着者の腹側に当てられる前面部と、両側部が大腿部に当てられる中間部と、背側に当てられる後面部とを有し、前記前面部の両側部と、前記後面部の両側部とが互いに接合されて、ウエスト開口部と一対のレッグ開口部が形成され、前記中間部の両側部がレッグ開口部に位置しているパンツ型の使い捨ておむつにおいて、
前記本体の受液側に、縦方向に延び且つ横方向に間隔を開けて配置された防漏カフが設けられ、前記防漏カフは、縦方向に沿って前記本体に固定される固定端部と、自由端部とを有するシートと、前記自由端部またはその近傍で前記シートに取付けられて縦方向への収縮力を発揮する弾性部材とを有し、
前記防漏カフには、前記シートどうしを接合して固定端部と自由端部との幅寸法を狭める接合部が形成されており、この接合部が前記中間部に設けられて、前記本体からの前記防漏カフの起立可能な長さが、前記接合部を有する部分で低く、前記接合部を挟む縦方向両側で高いことを特徴とする防漏カフを有する使い捨ておむつによって達成される。
【００１４】
本発明の使い捨ておむつでは、中間部以外の場所においては防漏カフの起立可能長さが長くなっている一方、中間部すなわち装着者の大腿部に当たる部分で防漏カフの起立可能長さが短くなっている。よって、装着時に中間部及びその前後において防漏カフが起立してその形状を保ちやすい。また、中間部において防漏カフがおむつと大腿部との間に挟まれて側方へはみ出るようなことがない。
【００１５】
また、少なくとも排泄位置すなわち肛門付近に対応する位置においては防漏カフの起立可能長さを長くできるので、吸収コアで吸収しきれない流速の早い軟便や水溶便などの排泄物が横方向へと流れた場合、それらが防漏カフを乗り越えて漏れることを効果的に防ぐことができる。
【００１６】
また、前記接合部では、前記防漏カフを構成するシートが二つ折りされてその折り内面どうしが接合された折り接合部が形成されているものとして構成できる。
【００１９】
おむつを装着するときに、レッグ開口部の下端部に位置する防漏カフが足先に当たりにくくなり、装着が容易である。
【００２０】
また、前記本体のウエスト開口部側を上部、前記レッグ開口部側を下部、前記下部から上部に向う方向を高さ方向としたときに、前記接合部は、本体の高さ方向の最下端を含む領域に形成されていることが好ましい。
【００２１】
おむつを装着するときには、足先がレッグ開口部の下端部を通過する頻度が高い。よってレッグ開口部の下端部に前記接合部を設けておくと、足先が防漏カフに引っ掛かりにくくなる。
【００２２】
例えば、図１に示すように、前記本体の前記高さ方向の全長をＨ０、前記レッグ開口部が形成されている部分の高さ方向の寸法をＨＬ、前記最下端を始点として前記接合部が形成されている領域の前記高さ方向の寸法をＨｃとしたときに、ＨｃがＨＬ未満であることが好ましい。
【００２３】
前記接合部が形成されている領域をレッグ開口部の下端を含む領域にすることにより、前記のように装着時に足が防漏カフに当たりにくくなり、しかも前記下端以外の領域では、レッグ開口部の内側において防漏カフの立ち上がり寸法を大きくすることが可能になり、レッグ開口部の上方領域での横漏れ防止機能を発揮できる。
【００２４】
また、レッグ開口部周囲での横漏れ防止機能を発揮させるためには、前記ＨｃがＨLの半分以下であるが好ましい。
【００２５】
なお、前記接合部が形成されていない部分で、前記本体からの前記防漏カフの起立可能な長さが５０ｍｍ以上であることが、軟便などの横漏れを有効に防止する上で好ましい。
【００２６】
また、前記接合部が形成されている部分で、前記本体からの前記防漏カフの起立可能な長さが１０ｍｍ以上であることが、接合部において防漏機能を損なわない点で好ましい。
【００２７】
【発明の実施の形態】
図１は本発明の一実施の形態としてパンツ型の使い捨ておむつを示す斜視図、図２は図１に示したパンツ型の使い捨ておむつを展開して透液性シート側から示した斜視図、図３は図２のＩＩＩ―ＩＩＩ線の断面図、図４は図２のＩＶ−ＩＶ線の断面図、図５は図２のＶ−Ｖ線の断面図である。
【００２８】
図１に示す本発明の使い捨ておむつ１は、予めパンツ型に成形されたものであり、その成形前の展開状態では、図２に示すようないわゆる砂時計形状である。図２に示す展開状態おいて、このおむつ１は、使用時に装着者の腹部に当てられる前面部２Ａと、使用時に尻部および／または背部に当てられる後面部２Ｃと、使用時にその両側部４Ｂ、４Ｂが大腿部に当てられる中間部２Ｂとを有する。前記前面部２Ａから中間部２Ｂを経て前記後面部２Ｃに至る方向をＹ方向（縦方向）とし、それと直交する方向をＸ方向（横方向）とする。また、装着者側に向かう方向をＺ方向とする。
【００２９】
この使い捨ておむつ１は装着者の受液側に向けられる透液性のトップシート１０と、外側に向けられる不透液性のバックシート１１と、前記トップシート１０と前記バックシート１１との間に挟まれる、それらシートより一回り小さな吸収コア１２との積層体（本体）で構成されている。なお、トップシート１０とバックシート１１は砂時計形状であり、吸収コア１２は長方形状または砂時計形状である。そして、トップシート１０とバックシート１１は、吸収コア１２の周囲でホットメルト型接着剤などにより互いに接合されている。
【００３０】
前面部２Ａの横方向の側部４Ａと、後面部２Ｃの横方向の側部４Ｃとが互いに接合され、前面部２Ａと後面部２Ｃのそれぞれの縁部、すなわちウエスト端部３Ａと３Ｃでウエスト開口部８が形成される。さらに、中間部２Ｂの両側部４Ｂではそれぞれレッグ開口部９が形成されて、前記積層体（本体）が図１に示すようなパンツ型を成している。
【００３１】
前記ウエスト端部３Ａと３Ｃには横方向に弾性部材（弾性バンド）１５が取付けられ、図１に示すように、前記弾性部材１５の弾性収縮力によりウエスト開口部８にウエストギャザーが形成される。前記両側部４Ｂにはレッグ側の弾性部材（弾性バンド）１６が取付けられ、図１に示すように、前記弾性部材１６の弾性収縮力により、レッグ開口部９の周囲にレッグギャザー（レッグ側のカフ）が形成される。
【００３２】
トップシート１０は、親水処理された疎水性繊維、親水性繊維などで形成されたものであり、例えばポイントボンド、エアースルー、スパンボンド、スパンレース不織布などである。または、前記不織布に嵩高な不織布からなるクッション層を重ねてトップシートを形成してもよい。バックシート１１は液不透過性で且つ通気性であり、例えばポリオレフィン系の樹脂シートなどにより形成されている。または、バックシートとして不織布を用い、バックシートと吸収コアとの間に防水性フィルムを介在させてもよい。吸収コア１２は、吸収性素材、例えば粉砕パルプあるいは粉砕パルプと高吸水性ポリマーの混合物などにより形成され、粉砕パルプあるいは粉砕パルプと高吸水性ポリマーとの混合物がティッシュなどの吸収性シートで包まれたものである。
【００３３】
おむつ１の受液側では例えばトップシート１０の上において、両側部４Ｂ、４Ｂに防漏カフを形成するため、長方形（帯状）の疎水性シート１４が部分的に折り畳まれた状態で設けられている。この疎水性シート１４は、中心線Ｌ１に対して横方向（Ｘ方向）に対称に間隔を開け、且つＹ方向（縦方向）に沿って設けられている。
【００３４】
図３、図４および図５に示すように、前記長方形の疎水性シート１４は、所定幅Ｗの接着部１４Ｄがトップシート１０からバックシート１１にかけて接着固定されており、前記所定幅Ｗの接着部１４Ｄの内端部が、防漏カフ４０の起立支点となる固定端部４０ｂとなっている。一方、疎水性シート１４の反対側（中心線Ｌ１側）の自由端部４０ａには、Ｙ方向におけるほぼ全長にわたって弾性部材３０が伸長させた状態で取付けられている。
【００３５】
疎水性シート１４の縦方向の両端部１４Ａ、１４Ｃでは、自由端部４０ａが中心線Ｌ１側（またはこれと逆の外側でも可）に倒されてトップシート１０上に接合されている。その結果、図１に示す立体的なパンツ型おむつでは、図３および図４に示すように、防漏カフ４０の自由端部４０ａが装着者方向（Ｚ方向）へと立ち上がって横漏れ防止用の防漏カフ４０が形成される。
【００３６】
この防漏カフ４０は、おむつ１の中間部２Ｂ、その前後（前面部２Ａ、後面部２Ｃ）、並びに前後端部３Ａ、３Ｃ付近において、起立可能長さ（自由端部４０ａから固定端部４０ｂまでの立ち上がり可能な長さ）が相違する。
【００３７】
中間部２Ｂにおいては、図３に示すように、疎水性シート１４が、前記固定端部４０ｂと自由端部４０ａとの間において、折り曲げ線２１ａと２２ａでおむつの横方向外側へ突出するように山折りに二つ折りされている。そして、折り曲げ線２１ａから折り起点２１ｂまで、および折り曲げ線２２ａから折り起点２２ｂまでの間の全幅において疎水性シート１４の内面どうしが接着接合されて、おむつのＸ方向の外側へ突出する２つの接合部（二つ折り接合部）２１、２２が形成されている。その結果、図３に示すように、起立可能長さの短い防漏カフ４０Ａが形成される。
【００３８】
なお、前記防漏カフ４０Ａは、中間部２Ｂにおいて、少なくともＹ方向（縦方向）の中心線Ｌ２を含む領域で、この中心線Ｌ２の前後にそれぞれ２０ｍｍ以上の長さ（防漏カフ４０Ａの全長で４０ｍｍ以上）であることが好ましく、さらに好ましくは前記中心線Ｌ２の前後にそれぞれ４０ｍｍ以上（防漏カフ４０Ａの全長で８０ｍｍ以上）である。なお、図２では、前記防漏カフ４０Ａが形成される領域をハッチングを付して示している。
【００３９】
図５に示すように、疎水性シート１４の縦方向の両端部１４Ａ、１４Ｃ付近では、自由端部４０ａが中心線Ｌ１側に倒れた状態でトップシート１０に接着されている。図２ではこの接着領域をハッチングを付して示している。
【００４０】
この両端部１４Ａ，１４Ｃでは、図３と同じ折り曲げ線２１ａ、２２ａが形成され、折り曲げ線２１ａ，２２ａから折り起点２１ｂ，２２ｂまでの範囲で疎水性シート１４の内面どうしが接合されて、接合部（二つ折り接合部）２１，２２が形成されている。この接合部２１，２２の折り幅寸法を、図３に示す防漏カフ４０Ａでの前記接合部２１，２２の折り幅寸法と同じにしておくと、疎水性シート１４の取付け作業が簡単である。
【００４１】
なお、前記両端部１４Ａ，１４Ｃにおいては、前記接合部２１，２２が互いに接着されて、さらに前記接着部１４Ｄに接着固定されていてもよいし、または接合部２１と２２が互いに接着されておらず、また接着部１４Ｄにも接着されていない自由状態であってもよい。
【００４２】
そして、前記両端部１４Ａ，１４Ｃおよび前記防漏カフ４０Ａ以外の領域では、図４に示すように、おむつの本体の受液側からの起立可能高さの長い防漏カフ４０Ｂとなっている。なお、図４に示す防漏カフ４０Ｂを形成する疎水性シート１４の下端部が、おむつの横方向の中心側においてトップシートに接合されて、防漏カフ４０Ｂの立ち上がり可能高さが図４に示すものよりもやや低くなっていてもよい。
【００４３】
なお、図３に示す防漏カフ４０Ａの起立可能長さは、１０ｍｍ以上であることが好ましい。この防漏カフ４０Ａを１０ｍｍよりも短くすると、防漏カフ４０Ａによる漏れ防止効果が低下する。なお、前記防漏カフ４０Ａの立ち上がり可能高さは、図３において、前記固定端部４０ｂからおむつの側部４Ｂまでの長さ以下であることが好ましい。このように構成すると、防漏カフ４０Ａがおむつの外側へ倒れたときに、自由端部４０ａがおむつの中間部２Ｂでの側部４Ｂから外方へはみ出すことがない。また、図４における防漏カフ４０Ｂの起立可能長さは少なくとも５０ｍｍ以上であることが好ましい。さらに好ましくは７０ｍｍ以上である。
【００４４】
図１に示すように立体的なパンツ型に成形されたときに、あるいは図１に示す状態で全体がＦ方向へ押しつぶされて平坦な状態とされたときにおいて、図１の上下方向を高さ方向としたときに、パンツ型おむつ１の前記高さ方向の全長をＨ０、レッグ開口部９が形成されている部分の高さ方向の寸法をＨL、おむつの最下端を始点として防漏カフ４０Ａと防漏カフ４０Ｂとの境界点のうちのいずれか高い方のものが存在する部分の高さ方向の寸法をＨｃとしたときに、ＨｃがＨL未満であることが好ましい。さらに好ましくはＨｃがＨLの半分以下である。またＨｃの寸法の更に好ましくは３０ｍｍ以下である。
【００４５】
上記のように構成すると、前記防漏カフ４０Ａは、レッグ開口部９において、股部に装着される最下端を含む領域に存在するため、装着時に足をウエスト開口部８からレッグ開口部９に通す際に、足の指先が防漏カフ４０Ａに引っ掛かりにくくなる。また、レッグ開口部９の上方（ＨL−Ｈｃの領域）においては起立可能高さの長い防漏カフ４０Ｂが存在しているため、レッグ開口部９の上部では、軟便などの横漏れを十分に抑制できる。
【００４６】
また、身体に装着したときに、レッグ開口部９の周囲に設けられた弾性部材１６が大腿部に密着したときに、レッグ開口部９の下部分において、防漏カフが大腿部と前記弾性部材１６の間に挟まれておむつ外方へはみ出る現象が生じにくくなる。
【００４７】
この防漏カフ４０を形成する疎水性シート１４は好ましくは通気性である。例えば、ポリプロピレン繊維で形成されたスパンボンド不織布や、スパンボンド不織布とメルトブロー不織布とスパンボンド不織布とを重ねたシートなど、疎水性繊維で形成された不織布や、不透液性の樹脂シートなどで形成されうる。疎水性シート１４が熱可塑性であれば、加熱処理や超音波処理によって疎水性シート１４どうし、或いは疎水性シート１４とトップシート１０とを接合できるので防漏カフの形成が容易である。なお、疎水性シート１４の接合には、ホットメルト型接着剤を用いてもよい。
【００４８】
本発明の使い捨ておむつの中間部において防漏カフの起立可能長さを短くするには種々の手段がある。図６、図７、図８、図９は、前記起立可能高さの短い防漏カフ４０Ａの変形例４０Ａ１、４０Ａ２、４０Ａ３、４０Ａ４をそれぞれ示す断面図である。
【００４９】
図６に示す防漏カフ４０Ａ１は、疎水性シート１４を２箇所で二つ折りしているが、それぞれの折り部において折り起点２１ｂと２２ｂの部分のみで、疎水性シート１４が互いに接合されている。ここで、前記折り起点２１ｂと２２ｂでの疎水性シートどうしの接着箇所を縦方向（Ｙ方向）において間隔を開けて形成しておくと、疎水性シート１４の折り部内部にポケット２１ｃ、２２ｃを形成でき、このポケット２１ｃ、２２ｃで尿などを受け止めることができ、防漏カフ４０Ａ１の防漏効果をさらに高めることができる。また前記ポケット２１ｃ、２２ｃを形成することで空気の流通性も向上し、蒸れを防止できる。
【００５０】
図７の防漏カフ４０Ａ２では、図３に示したのと同様に疎水性シート１４の内面全体を接合した接合部（二つ折り接合部）２１，２２が互いに接合されていると共に、さらに疎水性シート１４の接着部１４Ｄに倒されて接着されている。これにより防漏カフの起立可能長さが短くされている。
【００５１】
図８に示す防漏カフ４０Ａ３では、疎水性シート１４どうしを接合することにより形成される接合部（二つ折り接合部）２２と２３が、おむつの外側側とおむつの内側の双方に向けて突出している。
【００５２】
図９に示す防漏カフ４０Ａ４においては、疎水性シートどうしを接合することにより形成される各接合部２３と２４が、共に中心線Ｌ１側に突出している。
【００５３】
図８と図９に示すように、防漏カフ４０Ａ３と４０Ａ４のそれぞれから内側に延びる接合部２３と２４を形成しておくと、接合部２３または２４とトップシート１０との間にポケットが形成され、また図９では接合部２３と接合部２４との間にポケットが形成されて、横漏れした尿や軟便を前記ポケットで受け止めることができるようになる。
【００５４】
なお、防漏カフの中間部において疎水性シートどうしを接合させた接合部が形成される場合、各接合部の折曲線（例えば図３における符号２１ａ、２１ｂで示す部分）に弾性部材を設けることもできる。また前記接合部が固定端部４０ｂと自由端部４０ａとの間で一箇所のみ形成されてもよい。
【００５６】
その他、本発明の使い捨ておむつの中間部における防漏カフは、疎水性シートを３つ折り、４つ折りするなど、さらに折り畳んで接合させて形成できる。また、疎水性シートのＸ方向における幅寸法を、中間部とそれ以外の場所のそれぞれにおいて変化させることにより、中間部における防漏カフの起立可能長さを変えることもできる。
【００５７】
また、本発明の使い捨ておむつおける防漏カフは、少なくとも後面部において起立可能長さが長ければ軟便や水溶便の漏れを防止できる。したがって、例えば前面部において、防漏カフの起立可能高さを中間部における防漏カフと同様に短くしてもよい。
【００５８】
【発明の効果】
以上詳述したように、本発明の使い捨ておむつでは、装着時に中間部及びその前後において防漏カフが起立しやすく、また形状を保ちやすい。そして、少なくとも排泄位置すなわち肛門付近に対応する位置においては防漏カフの起立可能長さが長いので、吸収コアで吸収しきれない流速の早い軟便や水溶便などの排泄物が横方向へと流れ、防漏カフを乗り越えて漏れることを、効果的に防ぐことができる。
【００５９】
また、この防漏カフは通常の形状を持つ防漏カフ（例えば図１１に示すような単純な防漏カフ）の中腹においてシートの内面どうしを接合するのみで形成できるので、製造工程がさほど複雑になることもなく、また弾性部材を多数設けることもないのでコストも安い。
【００６０】
さらに、本発明の使い捨ておむつにおいては、中間部における防漏カフの起立可能長さが従来とほぼ同じ若しくはそれ以下とすることができるので、レッグ開口部に脚を通して装着するときに防漏カフが装着者の脚に引っ掛かることがなく、スムーズに装着できる。
【００６１】
また、股部において防漏カフがおむつの両側部からはみ出にくくなる。
【図面の簡単な説明】
【図１】本発明の一実施の形態としてパンツ型おむつを示す斜視図
【図２】図１に示したパンツ型おむつを展開した状態で受液側から示す斜視図
【図３】図２のＩＩＩ―ＩＩＩ線の断面図
【図４】図２のＩＶ−ＩＶ線の断面図
【図５】図２のＶ−Ｖ線の断面図
【図６】本発明の使い捨ておむつの防漏カフの他の実施の形態を示す部分拡大断面図
【図７】本発明の使い捨ておむつの防漏カフの他の実施の形態を示す部分拡大断面図
【図８】本発明の使い捨ておむつの防漏カフの他の実施の形態を示す部分拡大断面図
【図９】本発明の使い捨ておむつの防漏カフの他の実施の形態を示す部分拡大断面図
【図１０】従来の使い捨ておむつを示す斜視図
【図１１】図１０の使い捨ておむつに設けられている防漏カフの断面図
【符号の説明】
１  使い捨ておむつ
２Ａ  前面部
２Ｂ  中間部
２Ｃ  後面部
３Ａ  前ウェスト部
３Ｃ  後ウェスト部
４Ｂ  側部
１０  トップシート
１１  バックシート
１２  吸収コア
１４  疎水性シート
１４Ａ、１４Ｃ  疎水性シートの縦方向の端部
２１，２２，２３，２４  接合部
２１ａ，２２ａ  折り曲げ線
２１ｂ、２２ｂ  折り起点
４０ａ  自由端部
４０ｂ  固定端部
４０Ａ、４０Ａ１、４０Ａ２、４０Ａ３、４０Ａ４  中間部における防漏カフ
４０Ｂ  前面部および後面部付近における防漏カフ
４０Ｃ  前後ウェスト部付近における防漏カフ
Ｌ１  Ｘ方向における中心線
Ｌ２  Ｙ方向における中心線
【図１】
0003667152.tif 000002
【図２】
0003667152.tif 000003
【図３】
0003667152.tif 000004
【図４】
0003667152.tif 000005
【図５】
0003667152.tif 000006
【図６】
0003667152.tif 000007
【図７】
0003667152.tif 000008
【図８】
0003667152.tif 000009
【図９】
0003667152.tif 000010
【図１０】
0003667152.tif 000011
【図１１】
0003667152.tif 000012